(57)【要約】【課題】引き込み対象物の引き込み方向先端側部分が曲がり管部を通過する際でも確実に牽引できるようにする。【解決手段】引き込み対象物Ｂを牽引して管内に引き込み可能な索条体１と、引き込み対象物と共に索条体に牽引されて、引き込み対象物に先行して管内に引き込まれる複数の案内用球状体２とを備え、複数の案内用球状体を、案内用球状体どうしの牽引方向に沿う間隔を所定間隔に保持して一連に牽引可能に設けてある牽引具であって、隣り合う案内用球状体どうしを案内用球状体に取り付けてある連結具３で連結して、案内用球状体どうしの牽引方向に沿う間隔を所定間隔に保持可能に構成してあるとともに、索条体の牽引方向後端側を牽引方向前端側の案内用球状体２ａに連結し、牽引方向後端側の案内用球状体２ｂを引き込み対象物に連結可能に設けてある。【選択図】図２
2008275128.tif 000002
【特許請求の範囲】
【請求項１】
引き込み対象物を牽引して管内に引き込み可能な索条体と、
前記引き込み対象物と共に前記索条体に牽引されて、前記引き込み対象物に先行して管内に引き込まれる複数の案内用球状体とを備え、
前記複数の案内用球状体を、案内用球状体どうしの牽引方向に沿う間隔を所定間隔に保持して一連に牽引可能に設けてある牽引具であって、
隣り合う案内用球状体どうしを案内用球状体に取り付けてある連結具で連結して、案内用球状体どうしの牽引方向に沿う間隔を所定間隔に保持可能に構成してあるとともに、
前記索条体の牽引方向後端側を牽引方向前端側の案内用球状体に連結し、牽引方向後端側の案内用球状体を前記引き込み対象物に連結可能に設けてある牽引具。
【請求項２】
引き込み対象物を牽引して管内に引き込み可能な索条体と、
前記引き込み対象物と共に前記索条体に牽引されて、前記引き込み対象物に先行して管内に引き込まれる複数の案内用球状体とを備え、
前記複数の案内用球状体を、案内用球状体どうしの牽引方向に沿う間隔を所定間隔に保持して一連に牽引可能に設けてある牽引具であって、
前記複数の案内用球状体の夫々に貫通孔を形成して、各案内用球状体の貫通孔に挿通した前記索条体の牽引方向後端側を前記引き込み対象物に連結可能に構成し、
前記索条体に一体に形成してある係止部材を前記案内用球状体に係止させて、案内用球状体どうしの牽引方向に沿う間隔を所定間隔に保持可能に構成してある牽引具。
【請求項３】
前記係止部材を、前記索条体を結んで形成した前記貫通孔の内径よりも大径の結び目で構成してある請求項２記載の牽引具。
【発明の詳細な説明】
【技術分野】
【０００１】
本発明は、引き込み対象物を牽引して管内に引き込み可能な索条体と、前記引き込み対象物と共に前記索条体に牽引されて、前記引き込み対象物に先行して管内に引き込まれる複数の案内用球状体とを備え、前記複数の案内用球状体を、案内用球状体どうしの牽引方向に沿う間隔を所定間隔に保持して一連に牽引可能に設けてある牽引具に関する。
【背景技術】
【０００２】
引き込み対象物を牽引して、例えば、曲がり管部を備えた管内に引き込む場合において、引き込み対象物の引き込み方向先端側部分が曲がり管部を通過する際に、その先端側部分を索条体で管軸芯に対して大きく傾斜する方向に引っ張ると、先端側部分が管内面に強く押し付けられて、引き込み対象物を牽引できなくなるおそれがある。
上記牽引具は、このような場合でも、索条体による先端側部分の引っ張り方向を管軸芯に略沿わせることができるように、引き込み対象物に先行して管内に引き込まれる複数の案内用球状体を、案内用球状体どうしの牽引方向に沿う間隔を所定間隔に保持して略同芯状に一連に牽引可能に設けてある。
従来の牽引具は、案内用球状体に形成した貫通孔に索条体を挿通し、案内用球状体にねじ込んだねじ部材で索条体の途中箇所を貫通孔内周面に押し付けて、案内用球状体を索条体の途中箇所に摩擦保持したり（例えば、特許文献１参照）、案内用球状体に形成した貫通孔に索条体を挿通し、案内用球状体に係止する係止金具を索条体の途中箇所にかしめにより摩擦保持して、案内用球状体と索条体との牽引方向に沿う相対移動を規制してある（例えば、特許文献２参照）。
【０００３】
【特許文献１】特開２０００−２８３３３３号公報
【特許文献２】特開２００３−２７８９８９号公報
【発明の開示】
【発明が解決しようとする課題】
【０００４】
このため、案内用球状体をねじ部材で索条体の途中箇所に摩擦保持してある場合は、牽引作業中にねじ部材が緩むと、案内用球状体と索条体とが牽引方向に沿って相対移動し易くなるので、案内用球状体どうしの牽引方向に沿う間隔を所定間隔に保持できなくなり、引き込み対象物の引き込み方向先端側部分が曲がり管部を通過する際には、その先端側部分が管軸芯に対して大きく傾斜する方向に引っ張られて管内面に強く押し付けられ、引き込み対象物を牽引できなくなるおそれがある。
また、案内用球状体に係止する係止金具を索条体の途中箇所にかしめにより摩擦保持してある場合は、牽引作業中にかしめ部分が緩むと、係止金具が索条体に対して牽引方向に沿って相対移動し易くなるので、案内用球状体どうしの牽引方向に沿う間隔を所定間隔に保持できなくなり、前述と同様に、引き込み対象物の引き込み方向先端側部分が曲がり管部を通過する際には、引き込み対象物を牽引できなくなるおそれがある。
本発明は上記実情に鑑みてなされたものであって、引き込み対象物の引き込み方向先端側部分が曲がり管部を通過する際でも、引き込み対象物を確実に牽引できるようにすることを目的とする。
【課題を解決するための手段】
【０００５】
本発明の第１特徴構成は、引き込み対象物を牽引して管内に引き込み可能な索条体と、前記引き込み対象物と共に前記索条体に牽引されて、前記引き込み対象物に先行して管内に引き込まれる複数の案内用球状体とを備え、前記複数の案内用球状体を、案内用球状体どうしの牽引方向に沿う間隔を所定間隔に保持して一連に牽引可能に設けてある牽引具であって、隣り合う案内用球状体どうしを案内用球状体に取り付けてある連結具で連結して、案内用球状体どうしの牽引方向に沿う間隔を所定間隔に保持可能に構成してあるとともに、前記索条体の牽引方向後端側を、牽引方向前端側の案内用球状体に連結し、牽引方向後端側の案内用球状体を前記引き込み対象物に連結可能に設けてある点にある。
【０００６】
〔作用及び効果〕
隣り合う案内用球状体どうしを案内用球状体に取り付けてある連結具で連結して、案内用球状体どうしの牽引方向に沿う間隔を所定間隔に保持可能に構成してあるとともに、索条体の牽引方向後端側を、牽引方向前端側の案内用球状体に連結し、牽引方向後端側の案内用球状体を引き込み対象物に連結可能に設けてあるので、ねじ部材で案内用球状体を索条体の途中箇所に摩擦保持したり、案内用球状体に係止する係止金具を索条体の途中箇所にかしめにより摩擦保持したりすることなく、複数の案内用球状体を、案内用球状体どうしの牽引方向に沿う間隔を所定間隔に保持できるように、案内用球状体に取り付けてある連結具で互いに確実に連結しておくことができ、引き込み対象物の引き込み方向先端側部分が曲がり管部を通過する際でも、引き込み対象物を、それらの案内用球状体を介して確実に牽引できる。
【０００７】
本発明の第２特徴構成は、引き込み対象物を牽引して管内に引き込み可能な索条体と、前記引き込み対象物と共に前記索条体に牽引されて、前記引き込み対象物に先行して管内に引き込まれる複数の案内用球状体とを備え、前記複数の案内用球状体を、案内用球状体どうしの牽引方向に沿う間隔を所定間隔に保持して一連に牽引可能に設けてある牽引具であって、前記複数の案内用球状体の夫々に貫通孔を形成して、各案内用球状体の貫通孔に挿通した前記索条体の牽引方向後端側を前記引き込み対象物に連結可能に構成し、前記索条体に一体に形成してある係止部材を前記案内用球状体に係止させて、案内用球状体どうしの牽引方向に沿う間隔を所定間隔に保持可能に構成してある点にある。
【０００８】
〔作用及び効果〕
複数の案内用球状体の夫々に貫通孔を形成して、各案内用球状体の貫通孔に挿通した索条体の牽引方向後端側を引き込み対象物に連結可能に構成し、索条体に一体に形成してある係止部材を案内用球状体に係止させて、案内用球状体どうしの牽引方向に沿う間隔を所定間隔に保持可能に構成してあるので、ねじ部材で案内用球状体を索条体の途中箇所に摩擦保持したり、案内用球状体に係止する係止金具を索条体の途中箇所にかしめにより摩擦保持したりすることなく、複数の案内用球状体を、案内用球状体どうしの牽引方向に沿う間隔を所定間隔に保持できるように、索条体に一体に形成してある係止部材を案内用球状体に確実に係止させることができ、引き込み対象物の引き込み方向先端側部分が曲がり管部を通過する際でも、引き込み対象物を、それらの案内用球状体を介して確実に牽引できる。
【０００９】
本発明の第３特徴構成は、前記係止部材を、前記索条体を結んで形成した前記貫通孔の内径よりも大径の結び目で構成してある点にある。
【００１０】
〔作用及び効果〕
係止部材を、索条体を結んで形成した貫通孔の内径よりも大径の結び目で構成してあるので、特別な金具などを特に使用することなく、係止部材を案内用球状体に確実に係止させて位置保持させることができる。
【発明を実施するための最良の形態】
【００１１】
以下に本発明の実施の形態を図面に基づいて説明する。
〔第１実施形態〕
図１，図２は、本発明による牽引具Ａを示し、引き込み対象物としてのコルゲート管（可撓管の一例）Ｂを牽引して金属製ガス管Ｃ内に引き込み可能な索条体としての金属製牽引用ワイヤー１と、コルゲート管Ｂと共に牽引用ワイヤー１に牽引されて、コルゲート管Ｂに先行してガス管Ｃ内に引き込まれる二つの金属製案内用球状体２と、案内用球状体２どうしを略同芯状に連結する球状体連結具３と、コルゲート管Ｂに連結可能な管連結具４とを備えている。
尚、二つの案内用球状体２は、牽引方向前方側の案内用球状体２ａを牽引方向後方側の案内用球状体２ｂよりも小径に形成してある。
【００１２】
前記球状体連結具３は、コイルチェーン状に互いに係合させてある一対の球状体連結用Ｕ字状金具３ａ，３ｂを案内用球状体２ａ，２ｂに外れ止め状態で取り付けて、牽引方向で隣り合う案内用球状体２ａ，２ｂどうしを連結するもので、各Ｕ字状金具３ａ，３ｂは、溶接、或いは、ろう付けで案内用球状体２ａ，２ｂに一体に固定して、コルゲート管Ｂの牽引中において、二つの案内用球状体２ａ，２ｂどうしの牽引方向に沿う間隔を所定間隔に保持可能に構成してある。
【００１３】
前記牽引用ワイヤー１は、その牽引方向後端側を牽引方向前端側の案内用球状体２ａにその球状体中心を通るように形成した貫通孔６に挿通するとともに、その挿通端部に貫通孔６の内径よりも外径が大きい金属製抜け止め部材７を溶接固定して、牽引方向前端側の案内用球状体２ａに抜け止め状態で連結して、二つの案内用球状体２ａ，２ｂを、案内用球状体２ａ，２ｂどうしの牽引方向に沿う間隔を所定間隔に保持して一連に牽引可能に設けてある。
【００１４】
前記管連結具４は、拡径部材８と円錐台形状の楔部材９と略半球状の案内部材５とを備え、拡径部材８は、コルゲート管Ｂの内周面に係合させる係合部１０を外周に形成してある略円筒状部材を周方向で四つの分割拡径部材８ａ〜８ｄに分割して、弾性リング部材１１で円筒状に保持してあり、楔部材９と案内部材５は連結軸部材１２で一体に連結してある。
【００１５】
そして、案内部材５を拡径部材８に対して牽引方向下手側に相対移動させて、楔部材９を拡径部材８の内側に入り込ませることにより、係合部１０がコルゲート管Ｂの内周面に係合するように拡径部材８を拡径させて、コルゲート管Ｂに連結できるように構成してある。
【００１６】
前記案内部材５を、コイルチェーン状に互いに係合させてある一対の管連結用Ｕ字状金具１３ａ，１３ｂで牽引方向後端側の案内用球状体２ｂに連結することにより、管連結具４を牽引方向後端側の案内用球状体２ｂに取り付けて、牽引方向後端側の案内用球状体２ｂをコルゲート管Ｂに略同芯状に連結可能に設け、図２に示すように、案内部材５を各案内用球状体２ａ，２ｂを介して牽引用ワイヤー１で牽引することにより、楔部材９を拡径部材８の内側に入り込む状態に維持しながら、管連結具４をコルゲート管Ｂと共にガス管Ｃ内に引き込めるように構成してある。
【００１７】
前記一対の管連結用Ｕ字状金具１３ａ，１３ｂのうちの一方のＵ字状金具１３ｂは、溶接、或いは、ろう付けで案内部材５に一体に固定してあり、他方のＵ字状金具１３ａは、牽引方向後端側の案内用球状体２ｂに球状体中心を通る軸芯と同芯状に回転自在、かつ、抜け止め状態で取り付けてある回転軸部材１４に溶接、或いは、ろう付けで一体に固定して、管連結具４に連結したコルゲート管Ｂと案内用球状体２ｂとの相対回転を許容できるように構成してある。
【００１８】
〔第２実施形態〕
図３は、本発明による牽引具の別実施形態を示し、隣り合う案内用球状体２ａ，２ｂどうしをその案内用球状体２ａ，２ｂに取り付けてある球状体連結具３で連結するために、二つの案内用球状体２ａ，２ｂの夫々にＵ字状の貫通孔１５を形成して、隣り合う案内用球状体２ａ，２ｂのＵ字状貫通孔１５に亘って金属製連結用ワイヤー１６を一連に挿通すると共に、Ｕ字状貫通孔１５の開口部で挟まれる案内用球状体部分１７を囲むリング状に、連結用ワイヤー１６の両端部をその連結用ワイヤー１６の中間部に溶接固定して球状体連結具３を構成してある。
その他の構成は第１実施形態と同様である。
【００１９】
〔第３実施形態〕
図４は、本発明による牽引具の別実施形態を示し、案内用球状体２ａ，２ｂの夫々にその球状体中心を通る貫通孔１８を形成して、牽引用ワイヤー１を各案内用球状体２ａ，２ｂの貫通孔１８に亘って一連に挿通するとともに、貫通孔１８の内径よりも外径が大きい金属製係止部材１９を牽引用ワイヤー１に溶接で一体に固定して、コルゲート管Ｂの牽引中において、係止部材１９を案内用球状体２ａ，２ｂに係止させることにより、案内用球状体２ａ，２ｂどうしの牽引方向に沿う間隔を所定間隔に保持可能に構成してある。
【００２０】
そして、牽引用ワイヤー１の後端部に管連結具４を連結して、牽引用ワイヤー１の牽引方向後端側をコルゲート管Ｂに連結可能に構成してある。
その他の構成は第１実施形態と同様である。
【００２１】
〔第４実施形態〕
図５は、本発明による牽引具の別実施形態を示し、案内用球状体２ａ，２ｂの夫々にその球体中心を通る貫通孔１８を形成して、牽引用ワイヤー１を各案内用球状体２ａ，２ｂの貫通孔１８に亘って一連に挿通し、各案内用球状体２ａ，２ｂに係止させる係止部材１９を、牽引用ワイヤー１の途中部分を固く結んで形成した、貫通孔１８の内径よりも外径が大きい結び目２０で構成して、コルゲート管１の牽引中において、係止部材１９（２０）を案内用球状体２ａ，２ｂに係止させることにより、案内用球状体２ａ，２ｂどうしの牽引方向に沿う間隔を所定間隔に保持可能に構成してある。
その他の構成は第３実施形態と同様である。
【００２２】
〔第５実施形態〕
図６は、本発明による牽引具の別実施形態を示し、コルゲート管Ｂを牽引してガス管Ｃ内に引き込み可能な索条体１を、金属製牽引用ワイヤー部分１ａに、各案内用球状体２ａ，２ｂに亘って挿通してある軸部材連結体２１を連結して構成してある。
【００２３】
前記軸部材連結体２１は、案内用球状体２ａ，２ｂの夫々にその球体中心を通る貫通孔１８を形成して、金属製軸部材２２を各案内用球状体２ａ，２ｂの貫通孔１８毎に挿通するとともに、軸部材２２の両端部に溶接で一体に固定してある金属製リング部材２３どうしをコイルチェーン状に互いに係合させることにより一連に連結してある。
【００２４】
そして、リング部材２３の外径を貫通孔１８の内径よりも大きくして、案内用球状体２ａ，２ｂに係止させる係止部材１９をリング部材２３で構成し、コルゲート管１の牽引中において、案内用球状体２ａ，２ｂどうしの牽引方向に沿う間隔を所定間隔に保持可能に構成してあるとともに、牽引方向前端側の案内用球状体２ａに挿通してある軸部材２２のリング部材２３に牽引用ワイヤー１の後端部を連結し、牽引方向後端側の案内用球状体２ｂに挿通してある軸部材２２のリング部材２３に管連結具４を連結して、索条体１の牽引方向後端側をコルゲート管Ｂに連結可能に構成してある。
その他の構成は第１実施形態と同様である。
【００２５】
〔その他の実施形態〕
１．本発明による牽引具は、ガス管や水道管などの流体通流用管以外の、ライニング用ピグや管内検査具などの各種引き込み対象物を牽引して管内に引き込むために使用するものであっても良い。
２．本発明による牽引具は、コイルチェーンからなる索条体で引き込み対象物を牽引して管内に引き込み可能に設けてあっても良い。
３．本発明による牽引具は、三つ以上の案内用球状体を備えるものであっても良い。
【図面の簡単な説明】
【００２６】
【図１】牽引具の分解斜視図
【図２】牽引具の使用状態を示す断面図
【図３】第２実施形態を示す断面図
【図４】第３実施形態を示す断面図
【図５】第４実施形態を示す断面図
【図６】第５実施形態を示す断面図
【符号の説明】
【００２７】
Ｂ  引き込み対象物
１  索条体
２  案内用球状体
２ａ  牽引方向前端側の案内用球状体
２ｂ  牽引方向後端側の案内用球状体
３  連結具
１８  貫通孔
１９  係止部材
２０  結び目
【図１】
2008275128.tif 000003
【図２】
2008275128.tif 000004
【図３】
2008275128.tif 000005
【図４】
2008275128.tif 000006
【図５】
2008275128.tif 000007
【図６】
2008275128.tif 000008